(57)【要約】      （修正有）【課題】長く且つ細断しにくい被細断植物を自動的に引き込みながら確実に押圧切断できる極めて実用性に秀れた細断装置を提供することを課題としている。【解決手段】  根，茎，枝，蔓等の被細断植物が導入される導入部に、回転体３を配設し、この回転体３に前記被細断植物を引っ掛け引き込む係止凸部２を少なくとも回転体３の軸方向に複数設け、この回転体３の回転によって回転する前記係止凸部２により引き込まれる前記被細断植物を細断する細断刃４が複数並設状態に設けられた細断部５を前記回転体３と対向状態に設け、この細断部５の細断刃４間に前記係止凸部２が回転通過するように構成し、前記係止凸部２により引き込まれる前記被細断植物が細断刃４で押圧細断されるように構成したものである。【選択図】図５
2005081454.tif 000002
【特許請求の範囲】
【請求項１】
根，茎，枝，蔓等の被裁断植物が導入される導入部に、回転体を配設し、この回転体に前記被裁断植物を引っ掛け引き込む係止凸部を少なくとも回転体の軸方向に複数設け、この回転体の回転によって回転する前記係止凸部により引き込まれる前記被裁断植物を裁断する裁断刃が複数並設状態に設けられた裁断部を前記回転体と対向状態に設け、この裁断部の裁断刃間に前記係止凸部が回転通過するように構成し、前記係止凸部により引き込まれる前記被裁断植物が裁断刃で押圧裁断されるように構成したことを特徴とする裁断装置。
【請求項２】
前記回転体に、前記裁断刃とすれ違う対向刃をこの回転体の軸方向に並設したことを特徴とする請求項１記載の裁断装置。
【請求項３】
前記裁断刃若しくは前記対向刃を刃縁が凹凸する凹凸刃としたことを特徴とする請求項１，２のいずれか１項に記載の裁断装置。
【請求項４】
前記回転体の周面に、前記裁断刃の先端部が回転通過し得る凹条を形成したことを特徴とする請求項１〜３のいずれか１項に記載の裁断装置。
【請求項５】
前記係止凸部を回転体の軸方向と平行な直線上ではなく、この回転体の周方向傾斜状態に並設し、その傾斜方向が交互に逆方向となるように連設したことを特徴とする請求項１〜４のいずれか１項に記載の裁断装置。
【発明の詳細な説明】
【技術分野】
【０００１】
本発明は、裁断装置に関するものである。
【背景技術】
【０００２】
農作物の収穫後に畑に残ったこの農作物の根，茎，枝，蔓等の不要物の処理は厄介であり、特に芋蔓は、一反からおよそ１ｔが取れ、一塊の長さが数十ｍに及ぶ場合があり、その処理は極めて厄介である。
【０００３】
従来、この芋蔓は焼却処理によって処分しているが、上述のような理由から持ち運びが困難であり、できるだけ体積を減らすために短く裁断したいという要望がある。
【０００４】
また、近年、焼却処理に代わる処理方法として、密室処理と呼ばれる方法が提案されている。具体的には、この密室処理は、生分解作用を有する菌をおがくず等に添加し、密室においてこのおがくずと不要物とを撹拌して不要物を前記菌により分解させて処理する方法である。
【０００５】
この密室処理においては、前記撹拌を例えばスクリュー等の回転体によって行うため、不要物が長すぎると、不要物がこの回転体に絡まって良好に撹拌することができなくなることがあるため、この不要物を短く裁断したいという要望があるし、芋蔓は大部分が分解されにくい繊維質であり、前記菌の付着面積を増やして良好に分解させるため、即ち、表面積を増やすという点からも裁断したいという要望がある。
【０００６】
また、上述のような方法によらず、不要物を畑にそのまますき込んで肥料とすることもあるが、この場合にも、分解されにくい繊維質を可及的に速く分解できるように短く裁断したいという要望がある。
【０００７】
しかしながら、従来この芋蔓の裁断には極めて手間がかかり、容易に行うことができなかったのが現状である。
【発明の開示】
【発明が解決しようとする課題】
【０００８】
本発明は、上述のような現状に鑑み、農作物の根，茎，枝，蔓等の被裁断植物は、柔軟で滑りやすく裁断用の裁断刃から逃げやすいため、被裁断植物を裁断刃に対して確実に位置決めした状態で裁断しなければ良好に裁断することができず、また、芋蔓のように長いものは、単に裁断装置に導入するだけでは、導入した一部のみが裁断されるだけで、他の部分の裁断装置への導入を人手により行う必要があるため、容易に裁断することができなかったという知見に基づいて成されたもので、長く且つ裁断しにくい被裁断植物を自動的に引き込みながら確実に押圧切断できる極めて実用性に秀れた裁断装置を提供することを課題としている。
【課題を解決するための手段】
【０００９】
添付図面を参照して本発明の要旨を説明する。
【００１０】
根，茎，枝，蔓等の被裁断植物が導入される導入部１に、回転体３を配設し、この回転体３に前記被裁断植物を引っ掛け引き込む係止凸部２を少なくとも回転体３の軸方向に複数設け、この回転体３の回転によって回転する前記係止凸部２により引き込まれる前記被裁断植物を裁断する裁断刃４が複数並設状態に設けられた裁断部５を前記回転体３と対向状態に設け、この裁断部５の裁断刃４間に前記係止凸部２が回転通過するように構成し、前記係止凸部２により引き込まれる前記被裁断植物が裁断刃４で押圧裁断されるように構成したことを特徴とする裁断装置に係るものである。
【００１１】
また、前記回転体３に、前記裁断刃４とすれ違う対向刃６をこの回転体３の軸方向に並設したことを特徴とする請求項１記載の裁断装置に係るものである。
【００１２】
また、前記裁断刃４若しくは前記対向刃６を刃縁が凹凸する凹凸刃としたことを特徴とする請求項１，２のいずれか１項に記載の裁断装置に係るものである。
【００１３】
また、前記回転体３の周面に、前記裁断刃４の先端部が回転通過し得る凹条19を形成したことを特徴とする請求項１〜３のいずれか１項に記載の裁断装置に係るものである。
【００１４】
また、前記係止凸部２を回転体３の軸方向と平行な直線上ではなく、この回転体３の周方向傾斜状態に並設し、その傾斜方向が交互に逆方向となるように連設したことを特徴とする請求項１〜４のいずれか１項に記載の裁断装置に係るものである。
【発明の効果】
【００１５】
本発明は上述のように構成したから、長く且つ裁断しにくい被裁断植物を自動的に引き込みながら確実に押圧裁断することができる極めて実用性に秀れた裁断装置となる。
【００１６】
また、請求項２記載の発明においては、被裁断植物を一層良好に裁断できる一層実用性に秀れた裁断装置となる。
【００１７】
また、請求項３記載の発明においては、被裁断植物を前記裁断刃に対してより一層確実に位置決めした状態で裁断できるより一層実用性に秀れた裁断装置となる。
【００１８】
また、請求項４記載の発明においては、被裁断植物がこの間隙を通って裁断されずに導出されることを一層確実に阻止でき、一層良好にこの被裁断植物を裁断できるより一層実用性に秀れた裁断装置となる。
【００１９】
また、請求項５記載の発明においては、被裁断植物の一部ずつを裁断してより小さい力で良好に裁断できるより一層実用性に秀れた裁断装置となる。
【発明を実施するための最良の形態】
【００２０】
好適と考える本発明の実施の形態（発明をどのように実施するのが最良か）を、図面に基づいてその作用効果を示して簡単に説明する。
【００２１】
被裁断植物を導入部１に導入すると、この導入された被裁断植物は回転体３に設けられた係止凸部２の回転体３の回転方向側に引っ掛け係止され、前記回転体３の回転に伴いこの係止凸部２により前記回転体３の回転方向に引き込まれて、この被裁断植物は、前記回転体３と対向状態に設けた裁断部５の裁断刃４に押圧され、この裁断刃４により押圧裁断される。
【００２２】
具体的には、裁断刃４間を回転通過する前記係止凸部２によって引き込まれる被裁断植物は、この一対の裁断刃４と係止凸部２との３点に挾持された状態で係止凸部２により裁断刃４側に向かって押圧され、この被裁断植物の前記裁断刃４との当接部が押圧裁断される。
【００２３】
従って、この係止凸部２と裁断刃４とで被裁断植物を挾持するように位置決めした状態で押圧裁断することで、裁断時にこの被裁断植物が裁断刃４に対して傾斜しにくく、被裁断植物の長さ方向に対して垂直方向に確実に裁断することが可能となる。
【００２４】
即ち、柔軟で滑りやすく裁断刃４に対して逃げやすい農作物の根，茎，枝，蔓等、例えば芋蔓を、前記裁断刃４に対して確実に位置決めした状態で押圧裁断することにより、位置ズレを生じさせることなく確実に裁断することができる。
【００２５】
また、この裁断刃４への押圧を前記被裁断植物を引っ掛け係止する係止凸部２により行うから、この被裁断植物を切断することなく導入部１内に良好に引き込むことができ、この被裁断植物が芋蔓のように長いものであっても、人手によらずこの被裁断植物を自動的に引き込むことができる。
【００２６】
即ち、本発明は、前記被裁断植物の導入部１内への引き込みと、裁断刃４への押圧の双方を回転体３の回転力によりまかなう構成であり、極めて効率的に前記被裁断植物を引き込みながら裁断することができる。
【００２７】
従って、長さを有する被裁断植物であっても前記導入部１に単にこの被裁断植物の一部を導入するだけで自動的に引き込んで、前記裁断刃４によりこの被裁断植物全体を裁断することができるだけでなく、裁断しにくいものであっても３点で挾持するようにして押圧裁断することで、前記裁断刃４に対して被裁断植物を確実に位置決めした状態で裁断することが可能となる。
【００２８】
また、特に芋蔓は全長数十メートルに達するものもあり、裁断装置に人手で導入し続けるのは極めて厄介であり、この点、本発明においてはこのような長いものであっても、導入部１からの引き込みを自動的に行うことができ、一々人手により導入する必要がなくなり、その分手間をかけずに裁断を行うことができる。
【００２９】
更に、例えば、前記回転体３に前記裁断刃４とすれ違う対向刃６を設けることで、この対向刃６と裁断刃４とにより被裁断植物を挾持裁断することができ、従って、前記被裁断植物をより一層確実に裁断できることになる。
【００３０】
また、例えば、前記裁断刃４若しくは前記対向刃６を刃縁が凹凸する凹凸刃とすることで、この凹凸に前記被裁断植物を係止することができるから、この被裁断植物が裁断刃４若しくは対向刃６上をスライド移動しにくく、この被裁断植物を前記裁断刃４に対してより一層確実に位置決めした状態で裁断することができる。
【００３１】
従って、本発明は、長く且つ裁断しにくい被裁断植物を自動的に引き込んで確実に押圧裁断することができる極めて実用性に秀れた裁断装置となる。
【実施例１】
【００３２】
本発明の具体的な実施例について図面に基づいて説明する。
【００３３】
実施例１は、根，茎，枝，蔓等の被裁断植物が導入される導入部１に、回転体３を配設し、この回転体３に前記被裁断植物を引っ掛け引き込む係止凸部２を回転体３の軸方向に複数設け、この回転体３の回転によって回転する前記係止凸部２により引き込まれる前記被裁断植物を裁断する裁断刃４が複数並設状態に設けられた裁断部５を前記回転体３と対向状態に設け、この裁断部５の裁断刃４間に前記係止凸部２が回転通過するように構成し、前記係止凸部２により引き込まれる前記被裁断植物が裁断刃４で押圧裁断されるように構成したものである。
【００３４】
具体的には、実施例１は、芋蔓のように長く且つ裁断しにくい被裁断植物を確実に切断するために、この被裁断植物を自動的に引き込む引き込み機構と、この被裁断植物を裁断刃４に対して位置決めした状態で確実に押圧裁断する押圧裁断機構とを備えた構成である。
【００３５】
実施例１においては、係止凸部２を有する回転体３を導入部１に配設し、この回転体３の回転に伴い回転する係止凸部２のこの回転体３の回転方向側面で前記被裁断植物を引っ掛け係止することで、この被裁断植物を前記回転体３の回転方向側に引き込むように構成し、この回転体３を前記引き込み機構に設定している。
【００３６】
即ち、芋蔓等の被裁断植物の一部を一旦導入部１から導入すれば、自動的に引き込むことができる構成である。
【００３７】
また、前記回転体３と対向状態に裁断部５を設けることで、この裁断部５の裁断刃４と、この裁断刃４間を回転通過する前記回転体３の係止凸部２とにより、前記被裁断植物を３点で挾持当接しながら裁断することで、この被裁断植物が裁断刃４に対して位置決めされた状態で押圧裁断し得るように構成し、この裁断部５と前記回転体３とを前記押圧裁断機構に設定している。
【００３８】
即ち、裁断の途中でこの被裁断植物が傾斜したりせずに、この被裁断植物を、確実に被裁断植物の長さ方向に対して垂直方向に裁断し得る構成である。
【００３９】
従って、実施例１は、被裁断植物を引き込む力と押圧裁断に必要な力とを回転体３の回転力によりまかなうことができる構成であり、極めて効率的に前記被裁断植物を裁断できる。
【００４０】
更に、実施例１は、回転体３に、前記係止凸部２による被裁断植物を引っ掛け係止して引き込む作用に加えて、前記裁断刃４とすれ違う対向刃６を軸方向に並設することで、この対向刃６と前記裁断刃４とで被裁断植物を挾持裁断し得るように構成している。従って、被裁断植物を一層良好に裁断できる構成である。
【００４１】
裁断刃４と対向刃６は夫々、刃縁が凹凸する凹凸刃としている。従って、被裁断植物が係止凸部２に引き込まれながら裁断される際、この凹凸により被裁断植物のスライド移動が阻止され、裁断時に前記被裁断植物が位置ズレを起こすことを確実に阻止でき、この被裁断植物が裁断刃４及び対向刃６に対して逃げることを確実に阻止し得る構成である。
【００４２】
各部を具体的に説明すると、図１に図示したように、基体14の上部に設けた被裁断植物が載置される載置台14ａ，この載置台14ａの左右両側部に付設される側板14ｂ及びこの側板14ｂ上に設けられるフード14ｃにより開口部が形成され、この開口部を前記導入部１に設定している。また、この基体14の下部に、裁断された裁断植物が導出されるダクト14ｄを設け、このダクト14ｄを導出部８に設定している。尚、図中符号15は回転体３の駆動部、16はキャスターである。
【００４３】
この導入部１の前記載置台14ａの奥側に回転体３を配設し、この回転体３と対向状態に前記裁断部５を設けている。この載置台14ａは、芋蔓等の長く幅広いものでも載置できるように、やや幅広に設定するのが望ましい。
【００４４】
また、前記載置台14ａと回転体３との間には、この載置台14ａと連設状態に、被裁断植物が回転体３の主回転方向に逆らって導出部８に向かうことを阻止する櫛状板７が設けられている。また、この櫛状板７は、被裁断植物の回転体３への移動をガイドする役目も果たす。
【００４５】
従って、この導入部１への被裁断植物の導入は、前記載置台14ａに被裁断植物の全部若しくはその一部を載置し、この被裁断植物を奥側に押動するだけで、前記櫛状板７によりガイドされて前記回転体３に到達し、この回転体３の前記係止凸部２により自動的に引き込まれるから極めて容易となる。
【００４６】
回転体３は図２，３に図示したようにドラム状で、回転軸を前記導入部１から導入される被裁断植物の導入方向に対して直交する方向に設けた構成である。従って、前記載置台14ａに載置した被裁断植物を押動する際の押動方向と同方向にこの被裁断植物を引き込むことができ、引き込みを極めて良好に行うことができる。尚、回転体３としてドラム体を複数並設状態に設けた構成を採用しても良い。
【００４７】
回転体３には、この回転体３の軸方向に係止凸部２及び対向刃６を複数並設状態に設けている。尚、図中符号18は回転体３の回転軸となる六角シャフトであり、この六角シャフトは前記駆動部15に取り付けられる。
【００４８】
また、この回転体３の周面には、周方向に前記裁断刃４の先端部が回転通過し得る凹条19を形成している。従って、この回転体３の係止凸部２及び対向刃６と裁断部５の裁断刃４とを一層深く噛み合わせることが可能となる。
【００４９】
具体的には、この凹条19の底部に前記裁断刃４の先端が近接状態で回転通過するように構成すると共に、裁断刃４間の底部に前記係止凸部２（及び対向刃６）の先端が近接状態で回転通過するように構成することで、被裁断植物が裁断されずに導出されてしまう間隙を可及的に狭くすることが可能となり、この被裁断植物を一層良好に裁断できることになる。
【００５０】
また、係止凸部２を回転体３の軸方向と平行な直線上ではなく、図４に図示したように回転体３の周方向傾斜状態に並設している。具体的には、その傾斜方向が交互に逆方向となるように連設している。即ち、係止凸部２を回転体３周面上に螺旋状に並設した構成である。尚、対向刃６も同様に回転体３の周方向傾斜状態に並設している。
【００５１】
従って、周方向傾斜状態に前記係止凸部２を並設することで、被裁断植物全体を一度に押圧裁断するのではなく、この係止凸部２により前記被裁断植物の一部ずつが時間差をおいて裁断刃４により押圧裁断されることになる。
【００５２】
即ち、単に回転体３の軸方向と平行な直線上に前記係止凸部２を並設した場合、一度に裁断する量が多く仕事量がその分増え、押圧裁断に大きな力を必要とするため、結果として例えば駆動部15として大きなモータを採用せざるを得ないが、上述のように前記係止凸部２を回転体３の周方向傾斜状態に並設することで周期的に順次前記被裁断植物を引き込み、この被裁断植物の一部ずつを押圧裁断することで、押圧裁断時に必要な力がその分小さくて済み、より小さなモータを採用できる。
【００５３】
また、係止凸部２としては、より力強く被裁断植物を引き込むことができるように、裁断刃４間に略嵌合する幅広の爪を採用しているが、この係止凸部２として幅狭のものを採用しても良く、この場合には、この係止凸部２に被裁断植物が絡み付きにくくなり、この被裁断植物が詰まることをより一層確実に阻止できる。
【００５４】
裁断部５は基板９上に前記裁断刃４を複数並設状態に設けた構成である。この裁断刃４は図６に図示したように平面視コ字状で一対の裁断刃４が形成された刃体10を、この刃体10の貫通孔10ａを挿通する止めネジ11により前記基板９に複数並設状態に配設することで設けられている。また、この刃体10は一枚の板体を裁断刃４の刃面が夫々内側に位置するように折曲成形して形成している。尚、回転体３に設けた対向刃６も、この裁断刃４と同様の構成である。また、この裁断刃４若しくは対向刃６として、一枚ずつ前記基板９に取り付けた構成等、他の構成を採用しても良い。
【００５５】
従って、基板９への取り付けを極めて容易に行うことができ、しかも、この裁断刃４の強度もこの裁断刃４を一つずつ基板９に取り付けした構成に比して強くなる。また、交換する際にも単に劣化した一の刃体10を交換するだけで良いから極めて耐久性及び作業性に秀れたものとなる。
【００５６】
この裁断部５は、裁断刃４が回転体３の軸方向と略平行となるように、前記回転体３と対向状態に且つ固定状態に導入部１に設けている。また、本実施例においては前記裁断部５の裁断刃４を固定刃に設定しているが、回転刃に設定しても良い。
【００５７】
尚、実施例１においては、前記係止凸部２を回転体３の軸方向に対して平行な直線上でなく、回転体３の周方向傾斜状態に並設し、裁断刃４を回転体３の軸方向と略平行に複数並設状態に設けた構成であるが、この係止凸部２を回転体３の軸方向に対して平行な直線上に並設し、裁断刃４を回転体３の周方向傾斜状態に並設した構成等、他の構成としても良い。
【００５８】
具体的には、この裁断部５は、回転体３に対して図２中左斜上側位置と、回転体３に対して図２中右側位置に夫々設けた構成としている。従って、単に一の固定刃を設けた構成より、効率よく前記被裁断植物を裁断できる構成である。尚、この裁断部５を一設けた構成としても良いし、三以上設けた構成としても良い。図中符号13は、基板９を基体14に取り付けるための取り付けネジである。
【００５９】
また、回転体３の主回転方向は図２中左回転方向に設定している。従って、この回転体３の対向刃６は、その刃縁がこの回転体３の主回転方向側に位置するように設け、裁断部５の裁断刃４は、その刃縁がこの回転体３の主回転方向と逆方向側に位置するように設けている。
【００６０】
回転体３の係止凸部２及び対向刃６と裁断部５の裁断刃４との位置関係について詳述すると、図３，４に図示したように、この回転体３に設けた係止凸部２は前記裁断部５の一の刃体10における一対の裁断刃４間Ａに係止凸部２が回転通過するように設定し、この刃体10同志の間Ｂに前記対向刃６が回転通過するように設定している。
【００６１】
即ち、裁断刃４及び対向刃６の刃面が形成されていない外側同志がすれ違うため、この裁断刃４と対向刃６の先端縁同志が可及的に近接した状態ですれ違うように設定することができ、この裁断刃４と対向刃６とで被裁断植物をハサミで裁断するかの如く挾持裁断することができる。
【００６２】
一方、係止凸部２は、前記一の刃体10の一対の裁断刃４間Ａを回転通過するように構成している。従って、刃面が内側に形成されている分、この係止凸部２の前記回転体３の回転方向側面に引っ掛け係止されて裁断された被裁断植物がこの裁断刃４間Ａを通って導出されやすく、この被裁断植物が詰まることを可及的に阻止できる。
【００６３】
尚、実施例１においては、前記回転体３の係止凸部２と対向刃６とを夫々回転体３の周面にこの回転体３の軸方向に交互に並設しているが、この係止凸部２と対向刃６とを回転体３の周方向に複数並設した構成としても良い。
【００６４】
前記裁断刃４同志の間隔を略３０ｍｍに設定した本裁断装置によって、全長約２５ｍの芋蔓を裁断したところ、約９５％を前記裁断刃４同志の間隔の５倍の１５０ｍｍ以下の長さに裁断することができた。
【００６５】
実施例１は上述のように構成したから、被裁断植物を導入部１に導入すると、この導入された被裁断植物は回転体３に設けられた係止凸部２の回転体３の回転方向側に引っ掛け係止され、前記回転体３の回転に伴いこの係止凸部２により前記回転体３の回転方向に引き込まれて、この被裁断植物は、前記回転体３と対向状態に設けた裁断部５の裁断刃４に押圧され、この裁断刃４により押圧裁断される。
【００６６】
具体的には、裁断刃４間を回転通過する前記係止凸部２によって引き込まれる被裁断植物は、この一対の裁断刃４と係止凸部２との３点に挾持された状態で係止凸部２により裁断刃４側に向かって押圧され、この被裁断植物の前記裁断刃４との当接部が押圧裁断される。
【００６７】
従って、この係止凸部２と裁断刃４とで被裁断植物を挾持するように位置決めした状態で押圧裁断することで、裁断時にこの被裁断植物が裁断刃４に対して傾斜しにくく、被裁断植物の長さ方向に対して垂直方向に確実に裁断することが可能となる。
【００６８】
即ち、柔軟で滑りやすく裁断刃４に対して逃げやすい農作物の根，茎，枝，蔓等、例えば芋蔓を、前記裁断刃４に対して確実に位置決めした状態で押圧裁断することにより、位置ズレを生じさせることなく確実に裁断することができる。
【００６９】
また、この裁断刃４への押圧を前記被裁断植物を引っ掛け係止する係止凸部２により行うから、この被裁断植物を切断することなく導入部１内に良好に引き込むことができ、この被裁断植物が芋蔓のように長いものであっても、人手によらずこの被裁断植物を自動的に引き込むことができる。
【００７０】
即ち、実施例１は、前記被裁断植物の導入部１内への引き込みと、裁断刃４への押圧の双方を回転体３の回転力によりまかなう構成であり、極めて効率的に前記被裁断植物を引き込みながら裁断することができる。
【００７１】
従って、長さを有する被裁断植物であっても前記導入部１に単にこの被裁断植物の一部を導入するだけで自動的に引き込んで、前記裁断刃４によりこの被裁断植物全体を裁断することができるだけでなく、裁断しにくいものであっても３点で挾持するようにして押圧裁断することで、前記裁断刃４に対して被裁断植物を確実に位置決めした状態で裁断することが可能となる。
【００７２】
また、特に芋蔓は全長数十メートルに達するものもあり、裁断装置に人手で導入し続けるのは極めて厄介であり、この点、実施例１においてはこのような長いものであっても、導入部１からの引き込みを自動的に行うことができ、一々人手により導入する必要がなくなり、その分手間をかけずに裁断を行うことができる。
【００７３】
更に、対向刃６と裁断刃４とにより被裁断植物を挾持裁断することができ、従って、前記被裁断植物をより一層確実に裁断できることになる。
【００７４】
また、裁断刃４上での被裁断植物のスライド移動が確実に阻止されるから、この被裁断植物を前記裁断刃４に対してより一層確実に位置決めした状態で裁断することができる。
【００７５】
その上、被裁断植物が裁断されずに導出されてしまう間隙を可及的に狭くすることができ、この被裁断植物を一層良好に裁断できる。
【００７６】
更に、被裁断植物の一部ずつを押圧裁断することで、押圧裁断時に必要な力がその分小さくて済み、より小さなモータを採用できコスト安となる。
【００７７】
従って、実施例１は、長く且つ裁断しにくい被裁断植物を自動的に引き込んで確実に押圧裁断することができる極めて実用性に秀れた裁断装置となる。
【実施例２】
【００７８】
本発明の具体的な実施例について図面に基づいて説明する。
【００７９】
実施例２は、実施例１においては固定刃であった裁断刃４を、回転刃に設定したものである。
【００８０】
即ち、実施例２は、根，茎，枝，蔓等の被裁断植物が導入される導入部１に、回転体３を配設し、この回転体３に前記被裁断植物を引っ掛け引き込む係止凸部２を回転体３の軸方向に複数設け、この回転体３の回転によって回転する前記係止凸部２により引き込まれる前記被裁断植物を裁断する裁断刃４が複数並設状態に設けられた裁断部５を前記回転体３と対向状態に設け、この裁断部５の裁断刃４が前記回転体３の回転軸と略平行の回転軸で回転するように構成し、この裁断部５の裁断刃４間に前記係止凸部２が回転通過するように構成し、前記係止凸部２により引き込まれる前記被裁断植物が裁断刃４で押圧裁断されるように構成したものである。尚、実施例１と同一構成のものには同一符号を付した。
【００８１】
実施例２においては、裁断部５として図７に図示したように円盤状のカッター12をシャフト17に複数取り付けたものを採用し、このカッター12を裁断刃４に設定している。また、回転体３としては、同様に円盤状の係止凸部２を周方向に設けた薄型ドラム20を六角シャフト18に複数取り付けたものを採用しているが、他の構成を採用しても良い。
【００８２】
即ち、製作が容易となるのは勿論、回転する裁断刃４に被裁断植物を係止凸部２により押圧するから、この裁断部５の回転力の分だけ固定刃より良好に裁断することができる。
【００８３】
従って、回転体３に対向刃６を設けなくても回転する裁断刃４により十分な裁断作用が発揮されるため、回転体３には係止凸部２のみを設けた構成とすることができ、この点からも製作が容易となる。
【００８４】
また、図８は実施例２の別例であり、前記回転体３として、一体成形した薄い円盤体21を表裏張り合わせたものを六角シャフト18に複数取り付けた構成を採用したものである。この場合、加工が極めて容易でより一層容易且つコスト安に製作できることになる。
【００８５】
その余は実施例１と同様である。
【図面の簡単な説明】
【００８６】
【図１】実施例１の概略説明斜視図である。
【図２】実施例１の説明断面図である。
【図３】実施例１の回転体と裁断部との関係を示す概略説明図である。
【図４】実施例１の回転体の概略説明正面図である。
【図５】実施例１の拡大説明斜視図である。
【図６】実施例１の説明斜視図である。
【図７】実施例２の説明斜視図である。
【図８】別例の説明斜視図である。
【符号の説明】
【００８７】
１  導入部
２  係止凸部
３  回転体
４  裁断刃
５  裁断部
６  対向刃
19  凹条
【図１】
2005081454.tif 000003
【図２】
2005081454.tif 000004
【図３】
2005081454.tif 000005
【図４】
2005081454.tif 000006
【図５】
2005081454.tif 000007
【図６】
2005081454.tif 000008
【図７】
2005081454.tif 000009
【図８】
2005081454.tif 000010
【手続補正書】
【提出日】平成15年11月17日(2003.11.17)
【手続補正１】
【補正対象書類名】特許請求の範囲
【補正対象項目名】全文
【補正方法】変更
【補正の内容】
【特許請求の範囲】
【請求項１】
根，茎，枝，蔓等の被細断植物が導入される導入部に、回転体を配設し、この回転体に前記被細断植物を引っ掛け引き込む係止凸部を少なくとも回転体の軸方向に複数設け、この回転体の回転によって回転する前記係止凸部により引き込まれる前記被細断植物を細断する細断刃が複数並設状態に設けられた細断部を前記回転体と対向状態に設け、この細断部の細断刃間に前記係止凸部が回転通過するように構成し、前記係止凸部により引き込まれる前記被細断植物が細断刃で押圧細断されるように構成したことを特徴とする細断装置。
【請求項２】
前記回転体に、前記細断刃とすれ違う対向刃をこの回転体の軸方向に並設したことを特徴とする請求項１記載の細断装置。
【請求項３】
前記細断刃若しくは前記対向刃を刃縁が凹凸する凹凸刃としたことを特徴とする請求項１，２のいずれか１項に記載の細断装置。
【請求項４】
前記回転体の周面に、前記細断刃の先端部が回転通過し得る凹条を形成したことを特徴とする請求項１〜３のいずれか１項に記載の細断装置。
【請求項５】
前記係止凸部を回転体の軸方向と平行な直線上ではなく、この回転体の周方向傾斜状態に並設し、その傾斜方向が交互に逆方向となるように連設したことを特徴とする請求項１〜４のいずれか１項に記載の細断装置。
【手続補正２】
【補正対象書類名】明細書
【補正対象項目名】全文
【補正方法】変更
【補正の内容】
【発明の詳細な説明】
【技術分野】
【０００１】
本発明は、細断装置に関するものである。
【背景技術】
【０００２】
農作物の収穫後に畑に残ったこの農作物の根，茎，枝，蔓等の不要物の処理は厄介であり、特に芋蔓は、一反からおよそ２ｔが取れ、一塊の長さが１０ｍに及ぶ場合があり、その処理は極めて厄介である。
【０００３】
従来、この芋蔓は焼却処理によって処分しているが、上述のような理由から持ち運びが困難であり、できるだけ体積を減らすために短く細断したいという要望がある。
【０００４】
また、近年、焼却処理に代わる処理方法として、滅失処理と呼ばれる方法が提案されている。具体的には、この滅失処理は、生分解作用を有する菌をおがくず等に添加し、密室においてこのおがくずと不要物とを撹拌して不要物を前記菌により分解させて処理する方法である。
【０００５】
この滅失処理においては、前記撹拌を例えばスクリュー等の回転体によって行うため、不要物が長すぎると、不要物がこの回転体に絡まって良好に撹拌することができなくなることがあるため、この不要物を短く細断したいという要望があるし、芋蔓は大部分が分解されにくい繊維質であり、前記菌の付着面積を増やして良好に分解させるため、即ち、表面積を増やすという点からも細断したいという要望がある。
【０００６】
また、上述のような方法によらず、不要物を畑にそのまますき込んで肥料とすることもあるが、この場合にも、分解されにくい繊維質を可及的に速く分解できるように短く細断したいという要望がある。
【０００７】
しかしながら、従来この芋蔓の細断には極めて手間がかかり、容易に行うことができなかったのが現状である。
【発明の開示】
【発明が解決しようとする課題】
【０００８】
本発明は、上述のような現状に鑑み、農作物の根，茎，枝，蔓等の被細断植物は、柔軟で滑りやすく細断用の細断刃から逃げやすいため、被細断植物を細断刃に対して確実に位置決めした状態で細断しなければ良好に細断することができず、また、芋蔓のように長いものは、単に細断装置に導入するだけでは、導入した一部のみが細断されるだけで、他の部分の細断装置への導入を人手により行う必要があるため、容易に細断することができなかったという知見に基づいて成されたもので、長く且つ細断しにくい被細断植物を自動的に引き込みながら確実に押圧切断できる極めて実用性に秀れた細断装置を提供することを課題としている。
【課題を解決するための手段】
【０００９】
添付図面を参照して本発明の要旨を説明する。
【００１０】
根，茎，枝，蔓等の被細断植物が導入される導入部１に、回転体３を配設し、この回転体３に前記被細断植物を引っ掛け引き込む係止凸部２を少なくとも回転体３の軸方向に複数設け、この回転体３の回転によって回転する前記係止凸部２により引き込まれる前記被細断植物を細断する細断刃４が複数並設状態に設けられた細断部５を前記回転体３と対向状態に設け、この細断部５の細断刃４間に前記係止凸部２が回転通過するように構成し、前記係止凸部２により引き込まれる前記被細断植物が細断刃４で押圧細断されるように構成したことを特徴とする細断装置に係るものである。
【００１１】
また、前記回転体３に、前記細断刃４とすれ違う対向刃６をこの回転体３の軸方向に並設したことを特徴とする請求項１記載の細断装置に係るものである。
【００１２】
また、前記細断刃４若しくは前記対向刃６を刃縁が凹凸する凹凸刃としたことを特徴とする請求項１，２のいずれか１項に記載の細断装置に係るものである。
【００１３】
また、前記回転体３の周面に、前記細断刃４の先端部が回転通過し得る凹条19を形成したことを特徴とする請求項１〜３のいずれか１項に記載の細断装置に係るものである。
【００１４】
また、前記係止凸部２を回転体３の軸方向と平行な直線上ではなく、この回転体３の周方向傾斜状態に並設し、その傾斜方向が交互に逆方向となるように連設したことを特徴とする請求項１〜４のいずれか１項に記載の細断装置に係るものである。
【発明の効果】
【００１５】
本発明は上述のように構成したから、長く且つ細断しにくい被細断植物を自動的に引き込みながら確実に押圧細断することができる極めて実用性に秀れた細断装置となる。
【００１６】
また、請求項２記載の発明においては、被細断植物を一層良好に細断できる一層実用性に秀れた細断装置となる。
【００１７】
また、請求項３記載の発明においては、被細断植物を前記細断刃に対してより一層確実に位置決めした状態で細断できるより一層実用性に秀れた細断装置となる。
【００１８】
また、請求項４記載の発明においては、被細断植物がこの間隙を通って細断されずに導出されることを一層確実に阻止でき、一層良好にこの被細断植物を細断できるより一層実用性に秀れた細断装置となる。
【００１９】
また、請求項５記載の発明においては、被細断植物の一部ずつを細断してより小さい力で良好に細断できるより一層実用性に秀れた細断装置となる。
【発明を実施するための最良の形態】
【００２０】
好適と考える本発明の実施の形態（発明をどのように実施するのが最良か）を、図面に基づいてその作用効果を示して簡単に説明する。
【００２１】
被細断植物を導入部１に導入すると、この導入された被細断植物は回転体３に設けられた係止凸部２の回転体３の回転方向側に引っ掛け係止され、前記回転体３の回転に伴いこの係止凸部２により前記回転体３の回転方向に引き込まれて、この被細断植物は、前記回転体３と対向状態に設けた細断部５の細断刃４に押圧され、この細断刃４により押圧細断される。
【００２２】
具体的には、細断刃４間を回転通過する前記係止凸部２によって引き込まれる被細断植物は、この一対の細断刃４と係止凸部２との３点に挾持された状態で係止凸部２により細断刃４側に向かって押圧され、この被細断植物の前記細断刃４との当接部が押圧細断される。
【００２３】
従って、この係止凸部２と細断刃４とで被細断植物を挾持するように位置決めした状態で押圧細断することで、細断時にこの被細断植物が細断刃４に対して傾斜しにくく、被細断植物の長さ方向に対して垂直方向に確実に細断することが可能となる。
【００２４】
即ち、柔軟で滑りやすく細断刃４に対して逃げやすい農作物の根，茎，枝，蔓等、例えば芋蔓を、前記細断刃４に対して確実に位置決めした状態で押圧細断することにより、位置ズレを生じさせることなく確実に細断することができる。
【００２５】
また、この細断刃４への押圧を前記被細断植物を引っ掛け係止する係止凸部２により行うから、この被細断植物を切断することなく導入部１内に良好に引き込むことができ、この被細断植物が芋蔓のように長いものであっても、人手によらずこの被細断植物を自動的に引き込むことができる。
【００２６】
即ち、本発明は、前記被細断植物の導入部１内への引き込みと、細断刃４への押圧の双方を回転体３の回転力によりまかなう構成であり、極めて効率的に前記被細断植物を引き込みながら細断することができる。
【００２７】
従って、長さを有する被細断植物であっても前記導入部１に単にこの被細断植物の一部を導入するだけで自動的に引き込んで、前記細断刃４によりこの被細断植物全体を細断することができるだけでなく、細断しにくいものであっても３点で挾持するようにして押圧細断することで、前記細断刃４に対して被細断植物を確実に位置決めした状態で細断することが可能となる。
【００２８】
また、特に芋蔓は全長１０ｍに達するものもあり、細断装置に人手で導入し続けるのは極めて厄介であり、この点、本発明においてはこのような長いものであっても、導入部１からの引き込みを自動的に行うことができ、一々人手により導入する必要がなくなり、その分手間をかけずに細断を行うことができる。
【００２９】
更に、例えば、前記回転体３に前記細断刃４とすれ違う対向刃６を設けることで、この対向刃６と細断刃４とにより被細断植物を挾持細断することができ、従って、前記被細断植物をより一層確実に細断できることになる。
【００３０】
また、例えば、前記細断刃４若しくは前記対向刃６を刃縁が凹凸する凹凸刃とすることで、この凹凸に前記被細断植物を係止することができるから、この被細断植物が細断刃４若しくは対向刃６上をスライド移動しにくく、この被細断植物を前記細断刃４に対してより一層確実に位置決めした状態で細断することができる。
【００３１】
従って、本発明は、長く且つ細断しにくい被細断植物を自動的に引き込んで確実に押圧細断することができる極めて実用性に秀れた細断装置となる。
【実施例１】
【００３２】
本発明の具体的な実施例について図面に基づいて説明する。
【００３３】
実施例１は、根，茎，枝，蔓等の被細断植物が導入される導入部１に、回転体３を配設し、この回転体３に前記被細断植物を引っ掛け引き込む係止凸部２を回転体３の軸方向に複数設け、この回転体３の回転によって回転する前記係止凸部２により引き込まれる前記被細断植物を細断する細断刃４が複数並設状態に設けられた細断部５を前記回転体３と対向状態に設け、この細断部５の細断刃４間に前記係止凸部２が回転通過するように構成し、前記係止凸部２により引き込まれる前記被細断植物が細断刃４で押圧細断されるように構成したものである。
【００３４】
具体的には、実施例１は、芋蔓のように長く且つ細断しにくい被細断植物を確実に切断するために、この被細断植物を自動的に引き込む引き込み機構と、この被細断植物を細断刃４に対して位置決めした状態で確実に押圧細断する押圧細断機構とを備えた構成である。
【００３５】
実施例１においては、係止凸部２を有する回転体３を導入部１に配設し、この回転体３の回転に伴い回転する係止凸部２のこの回転体３の回転方向側面で前記被細断植物を引っ掛け係止することで、この被細断植物を前記回転体３の回転方向側に引き込むように構成し、この回転体３を前記引き込み機構に設定している。
【００３６】
即ち、芋蔓等の被細断植物の一部を一旦導入部１から導入すれば、自動的に引き込むことができる構成である。
【００３７】
また、前記回転体３と対向状態に細断部５を設けることで、この細断部５の細断刃４と、この細断刃４間を回転通過する前記回転体３の係止凸部２とにより、前記被細断植物を３点で挾持当接しながら細断することで、この被細断植物が細断刃４に対して位置決めされた状態で押圧細断し得るように構成し、この細断部５と前記回転体３とを前記押圧細断機構に設定している。
【００３８】
即ち、細断の途中でこの被細断植物が傾斜したりせずに、この被細断植物を、確実に被細断植物の長さ方向に対して垂直方向に細断し得る構成である。
【００３９】
従って、実施例１は、被細断植物を引き込む力と押圧細断に必要な力とを回転体３の回転力によりまかなうことができる構成であり、極めて効率的に前記被細断植物を細断できる。
【００４０】
更に、実施例１は、回転体３に、前記係止凸部２による被細断植物を引っ掛け係止して引き込む作用に加えて、前記細断刃４とすれ違う対向刃６を軸方向に並設することで、この対向刃６と前記細断刃４とで被細断植物を挾持細断し得るように構成している。従って、被細断植物を一層良好に細断できる構成である。
【００４１】
細断刃４と対向刃６は夫々、刃縁が凹凸する凹凸刃としている。従って、被細断植物が係止凸部２に引き込まれながら細断される際、この凹凸により被細断植物のスライド移動が阻止され、細断時に前記被細断植物が位置ズレを起こすことを確実に阻止でき、この被細断植物が細断刃４及び対向刃６に対して逃げることを確実に阻止し得る構成である。
【００４２】
各部を具体的に説明すると、図１に図示したように、基体14の上部に設けた被細断植物が載置される載置台14ａ，この載置台14ａの左右両側部に付設される側板14ｂ及びこの側板14ｂ上に設けられるフード14ｃにより開口部が形成され、この開口部を前記導入部１に設定している。また、この基体14の下部に、細断された細断植物が導出されるダクト14ｄを設け、このダクト14ｄを導出部８に設定している。尚、図中符号15は回転体３の駆動部、16はキャスターである。
【００４３】
この導入部１の前記載置台14ａの奥側に回転体３を配設し、この回転体３と対向状態に前記細断部５を設けている。この載置台14ａは、芋蔓等の長く幅広いものでも載置できるように、やや幅広に設定するのが望ましい。
【００４４】
また、前記載置台14ａと回転体３との間には、この載置台14ａと連設状態に、被細断植物が回転体３の主回転方向に逆らって導出部８に向かうことを阻止する櫛状板７が設けられている。また、この櫛状板７は、被細断植物の回転体３への移動をガイドする役目も果たす。
【００４５】
従って、この導入部１への被細断植物の導入は、前記載置台14ａに被細断植物の全部若しくはその一部を載置し、この被細断植物を奥側に押動するだけで、前記櫛状板７によりガイドされて前記回転体３に到達し、この回転体３の前記係止凸部２により自動的に引き込まれるから極めて容易となる。
【００４６】
回転体３は図２，３に図示したようにドラム状で、回転軸を前記導入部１から導入される被細断植物の導入方向に対して直交する方向に設けた構成である。従って、前記載置台14ａに載置した被細断植物を押動する際の押動方向と同方向にこの被細断植物を引き込むことができ、引き込みを極めて良好に行うことができる。尚、回転体３としてドラム体を複数並設状態に設けた構成を採用しても良い。
【００４７】
回転体３には、この回転体３の軸方向に係止凸部２及び対向刃６を複数並設状態に設けている。尚、図中符号18は回転体３の回転軸となる六角シャフトであり、この六角シャフトは前記駆動部15に取り付けられる。
【００４８】
また、この回転体３の周面には、周方向に前記細断刃４の先端部が回転通過し得る凹条19を形成している。従って、この回転体３の係止凸部２及び対向刃６と細断部５の細断刃４とを一層深く噛み合わせることが可能となる。
【００４９】
具体的には、この凹条19の底部に前記細断刃４の先端が近接状態で回転通過するように構成すると共に、細断刃４間の底部に前記係止凸部２（及び対向刃６）の先端が近接状態で回転通過するように構成することで、被細断植物が細断されずに導出されてしまう間隙を可及的に狭くすることが可能となり、この被細断植物を一層良好に細断できることになる。
【００５０】
また、係止凸部２を回転体３の軸方向と平行な直線上ではなく、図４に図示したように回転体３の周方向傾斜状態に並設している。具体的には、その傾斜方向が交互に逆方向となるように連設している。即ち、係止凸部２を回転体３周面上に螺旋状に並設した構成である。尚、対向刃６も同様に回転体３の周方向傾斜状態に並設している。
【００５１】
従って、周方向傾斜状態に前記係止凸部２を並設することで、被細断植物全体を一度に押圧細断するのではなく、この係止凸部２により前記被細断植物の一部ずつが時間差をおいて細断刃４により押圧細断されることになる。
【００５２】
即ち、単に回転体３の軸方向と平行な直線上に前記係止凸部２を並設した場合、一度に細断する量が多く仕事量がその分増え、押圧細断に大きな力を必要とするため、結果として例えば駆動部15として大きなモータを採用せざるを得ないが、上述のように前記係止凸部２を回転体３の周方向傾斜状態に並設することで周期的に順次前記被細断植物を引き込み、この被細断植物の一部ずつを押圧細断することで、押圧細断時に必要な力がその分小さくて済み、より小さなモータを採用できる。
【００５３】
また、係止凸部２としては、より力強く被細断植物を引き込むことができるように、細断刃４間に略嵌合する幅広の爪を採用しているが、この係止凸部２として幅狭のものを採用しても良く、この場合には、この係止凸部２に被細断植物が絡み付きにくくなり、この被細断植物が詰まることをより一層確実に阻止できる。
【００５４】
細断部５は基板９上に前記細断刃４を複数並設状態に設けた構成である。この細断刃４は図６に図示したように平面視コ字状で一対の細断刃４が形成された刃体10を、この刃体10の貫通孔10ａを挿通する止めネジ11により前記基板９に複数並設状態に配設することで設けられている。また、この刃体10は一枚の板体を細断刃４の刃面が夫々内側に位置するように折曲成形して形成している。尚、回転体３に設けた対向刃６も、この細断刃４と同様の構成である。また、この細断刃４若しくは対向刃６として、一枚ずつ前記基板９に取り付けた構成等、他の構成を採用しても良い。
【００５５】
従って、基板９への取り付けを極めて容易に行うことができ、しかも、この細断刃４の強度もこの細断刃４を一つずつ基板９に取り付けした構成に比して強くなる。また、交換する際にも単に劣化した一の刃体10を交換するだけで良いから極めて耐久性及び作業性に秀れたものとなる。
【００５６】
この細断部５は、細断刃４が回転体３の軸方向と略平行となるように、前記回転体３と対向状態に且つ固定状態に導入部１に設けている。また、本実施例においては前記細断部５の細断刃４を固定刃に設定しているが、回転刃に設定しても良い。
【００５７】
尚、実施例１においては、前記係止凸部２を回転体３の軸方向に対して平行な直線上でなく、回転体３の周方向傾斜状態に並設し、細断刃４を回転体３の軸方向と略平行に複数並設状態に設けた構成であるが、この係止凸部２を回転体３の軸方向に対して平行な直線上に並設し、細断刃４を回転体３の周方向傾斜状態に並設した構成等、他の構成としても良い。
【００５８】
具体的には、この細断部５は、回転体３に対して図２中左斜上側位置と、回転体３に対して図２中右側位置に夫々設けた構成としている。従って、単に一の固定刃を設けた構成より、効率よく前記被細断植物を細断できる構成である。尚、この細断部５を一設けた構成としても良いし、三以上設けた構成としても良い。図中符号13は、基板９を基体14に取り付けるための取り付けネジである。
【００５９】
また、回転体３の主回転方向は図２中左回転方向に設定している。従って、この回転体３の対向刃６は、その刃縁がこの回転体３の主回転方向側に位置するように設け、細断部５の細断刃４は、その刃縁がこの回転体３の主回転方向と逆方向側に位置するように設けている。
【００６０】
回転体３の係止凸部２及び対向刃６と細断部５の細断刃４との位置関係について詳述すると、図３，４に図示したように、この回転体３に設けた係止凸部２は前記細断部５の一の刃体10における一対の細断刃４間Ａに係止凸部２が回転通過するように設定し、この刃体10同志の間Ｂに前記対向刃６が回転通過するように設定している。
【００６１】
即ち、細断刃４及び対向刃６の刃面が形成されていない外側同志がすれ違うため、この細断刃４と対向刃６の先端縁同志が可及的に近接した状態ですれ違うように設定することができ、この細断刃４と対向刃６とで被細断植物をハサミで細断するかの如く挾持細断することができる。
【００６２】
一方、係止凸部２は、前記一の刃体10の一対の細断刃４間Ａを回転通過するように構成している。従って、刃面が内側に形成されている分、この係止凸部２の前記回転体３の回転方向側面に引っ掛け係止されて細断された被細断植物がこの細断刃４間Ａを通って導出されやすく、この被細断植物が詰まることを可及的に阻止できる。
【００６３】
尚、実施例１においては、前記回転体３の係止凸部２と対向刃６とを夫々回転体３の周面にこの回転体３の軸方向に交互に並設しているが、この係止凸部２と対向刃６とを回転体３の周方向に複数並設した構成としても良い。
【００６４】
前記細断刃４同志の間隔を略３０ｍｍに設定した本細断装置によって、全長約２５ｍの芋蔓を細断したところ、約９５％を前記細断刃４同志の間隔の５倍の１５０ｍｍ以下の長さに細断することができた。
【００６５】
実施例１は上述のように構成したから、被細断植物を導入部１に導入すると、この導入された被細断植物は回転体３に設けられた係止凸部２の回転体３の回転方向側に引っ掛け係止され、前記回転体３の回転に伴いこの係止凸部２により前記回転体３の回転方向に引き込まれて、この被細断植物は、前記回転体３と対向状態に設けた細断部５の細断刃４に押圧され、この細断刃４により押圧細断される。
【００６６】
具体的には、細断刃４間を回転通過する前記係止凸部２によって引き込まれる被細断植物は、この一対の細断刃４と係止凸部２との３点に挾持された状態で係止凸部２により細断刃４側に向かって押圧され、この被細断植物の前記細断刃４との当接部が押圧細断される。
【００６７】
従って、この係止凸部２と細断刃４とで被細断植物を挾持するように位置決めした状態で押圧細断することで、細断時にこの被細断植物が細断刃４に対して傾斜しにくく、被細断植物の長さ方向に対して垂直方向に確実に細断することが可能となる。
【００６８】
即ち、柔軟で滑りやすく細断刃４に対して逃げやすい農作物の根，茎，枝，蔓等、例えば芋蔓を、前記細断刃４に対して確実に位置決めした状態で押圧細断することにより、位置ズレを生じさせることなく確実に細断することができる。
【００６９】
また、この細断刃４への押圧を前記被細断植物を引っ掛け係止する係止凸部２により行うから、この被細断植物を切断することなく導入部１内に良好に引き込むことができ、この被細断植物が芋蔓のように長いものであっても、人手によらずこの被細断植物を自動的に引き込むことができる。
【００７０】
即ち、実施例１は、前記被細断植物の導入部１内への引き込みと、細断刃４への押圧の双方を回転体３の回転力によりまかなう構成であり、極めて効率的に前記被細断植物を引き込みながら細断することができる。
【００７１】
従って、長さを有する被細断植物であっても前記導入部１に単にこの被細断植物の一部を導入するだけで自動的に引き込んで、前記細断刃４によりこの被細断植物全体を細断することができるだけでなく、細断しにくいものであっても３点で挾持するようにして押圧細断することで、前記細断刃４に対して被細断植物を確実に位置決めした状態で細断することが可能となる。
【００７２】
また、特に芋蔓は全長１０ｍに達するものもあり、細断装置に人手で導入し続けるのは極めて厄介であり、この点、実施例１においてはこのような長いものであっても、導入部１からの引き込みを自動的に行うことができ、一々人手により導入する必要がなくなり、その分手間をかけずに細断を行うことができる。
【００７３】
更に、対向刃６と細断刃４とにより被細断植物を挾持細断することができ、従って、前記被細断植物をより一層確実に細断できることになる。
【００７４】
また、細断刃４上での被細断植物のスライド移動が確実に阻止されるから、この被細断植物を前記細断刃４に対してより一層確実に位置決めした状態で細断することができる。
【００７５】
その上、被細断植物が細断されずに導出されてしまう間隙を可及的に狭くすることができ、この被細断植物を一層良好に細断できる。
【００７６】
更に、被細断植物の一部ずつを押圧細断することで、押圧細断時に必要な力がその分小さくて済み、より小さなモータを採用できコスト安となる。
【００７７】
従って、実施例１は、長く且つ細断しにくい被細断植物を自動的に引き込んで確実に押圧細断することができる極めて実用性に秀れた細断装置となる。
【実施例２】
【００７８】
本発明の具体的な実施例について図面に基づいて説明する。
【００７９】
実施例２は、実施例１においては固定刃であった細断刃４を、回転刃に設定したものである。
【００８０】
即ち、実施例２は、根，茎，枝，蔓等の被細断植物が導入される導入部１に、回転体３を配設し、この回転体３に前記被細断植物を引っ掛け引き込む係止凸部２を回転体３の軸方向に複数設け、この回転体３の回転によって回転する前記係止凸部２により引き込まれる前記被細断植物を細断する細断刃４が複数並設状態に設けられた細断部５を前記回転体３と対向状態に設け、この細断部５の細断刃４が前記回転体３の回転軸と略平行の回転軸で回転するように構成し、この細断部５の細断刃４間に前記係止凸部２が回転通過するように構成し、前記係止凸部２により引き込まれる前記被細断植物が細断刃４で押圧細断されるように構成したものである。尚、実施例１と同一構成のものには同一符号を付した。
【００８１】
実施例２においては、細断部５として図７に図示したように円盤状のカッター12をシャフト17に複数取り付けたものを採用し、このカッター12を細断刃４に設定している。また、回転体３としては、同様に円盤状の係止凸部２を周方向に設けた薄型ドラム20を六角シャフト18に複数取り付けたものを採用しているが、他の構成を採用しても良い。
【００８２】
即ち、製作が容易となるのは勿論、回転する細断刃４に被細断植物を係止凸部２により押圧するから、この細断部５の回転力の分だけ固定刃より良好に細断することができる。
【００８３】
従って、回転体３に対向刃６を設けなくても回転する細断刃４により十分な細断作用が発揮されるため、回転体３には係止凸部２のみを設けた構成とすることができ、この点からも製作が容易となる。
【００８４】
また、図８は実施例２の別例であり、前記回転体３として、一体成形した薄い円盤体21を表裏張り合わせたものを六角シャフト18に複数取り付けた構成を採用したものである。この場合、加工が極めて容易でより一層容易且つコスト安に製作できることになる。
【００８５】
その余は実施例１と同様である。
【図面の簡単な説明】
【００８６】
【図１】実施例１の概略説明斜視図である。
【図２】実施例１の説明断面図である。
【図３】実施例１の回転体と細断部との関係を示す概略説明図である。
【図４】実施例１の回転体の概略説明正面図である。
【図５】実施例１の拡大説明斜視図である。
【図６】実施例１の説明斜視図である。
【図７】実施例２の説明斜視図である。
【図８】別例の説明斜視図である。
【符号の説明】
【００８７】
１  導入部
２  係止凸部
３  回転体
４  細断刃
５  細断部
６  対向刃
19  凹条